(57)【要約】      （修正有）【課題】自然採光と通風に優れた居住空間構造を提供する。【解決手段】本発明に係る室内空間構造１は、下階である一階２と上階である二階３とを連通させてなる吹抜け空間４が住宅５内に形成してあるとともに、該吹抜け空間と屋外空間６とを隔てる二階３の外壁７に採光窓としての引違い窓８を設けてあり、吹抜け空間４には二階３の床レベル近傍にて床パネル９を敷設してある。床パネル９はグレーチングパネルで構成してあり、透光性及び通気性並びに歩行荷重を支持する強度特性を有する。【選択図】図１
2006265987.tif 000002
【特許請求の範囲】
【請求項１】
下階と上階とを連通させてなる吹抜け空間が形成され該吹抜け空間と屋外空間とを隔てる前記上階の外壁に採光窓が設けられた室内空間構造において、
前記上階の床レベル近傍にて透光性及び通気性を有する床パネルを敷設するとともに、該床パネルを前記外壁まで延設したことを特徴とする室内空間構造。
【請求項２】
前記床パネル上に収納具を載置した請求項１記載の室内空間構造。
【発明の詳細な説明】
【技術分野】
【０００１】
本発明は、主として住宅内に採用される室内空間構造に関する。
【背景技術】
【０００２】
住宅においては、快適で安全な住環境を確保すべく、耐久性、耐震性、防火性、採光性、通風性など、さまざまな特性が要求されるが、採光や通風は、居住快適性に大きな影響を及ぼす。
【０００３】
ここで、住宅内に吹抜け空間を設けた室内空間構造が従来から数多く採用されており、かかる住宅においては、吹抜け空間を屋外空間と隔てる上階の外壁に採光窓を設けることにより、該採光窓を介した自然採光を上階はもとより、下階へも送り込むことができるとともに、吹抜け空間を介した上階と下階との空気の流れが形成されるため、自然通風に優れた住宅となり、居住快適性を高めることができる。
【０００４】
【特許文献１】特開平９−３０２９５３
【特許文献２】特開平１０−３１１１５０
【特許文献３】特開平１１−６２２７９
【発明の開示】
【発明が解決しようとする課題】
【０００５】
しかしながら、吹抜け空間ゆえ、上階の外壁に設けられた採光窓廻りに寄り付くことができず、これに起因していくつかの問題を生じていた。すなわち、かかる採光窓を居住者が日常的に清掃することは実質的に不可能であるとともに、採光窓を操作やメンテナンスが必要となる開閉式にすることも難しい。加えて、採光窓の室内側にカーテンを取り付けたり取り外したりするにも足場が必要となり、カーテンを日常的に洗濯することもやはり困難である。
【０００６】
また、比較的小規模な住宅では、居住に必要なスペースを確保しなければならない関係上、吹抜け空間を形成するにもその大きさに限度があり、結果として自然採光や建物内通風を十分確保することができず、ひいては住宅の快適性が低下するという別の問題も生じていた。
【課題を解決するための手段】
【０００７】
本発明は、上述した事情を考慮してなされたもので、吹抜け空間に起因するメンテナンスの問題を解消することが可能な室内空間構造を提供することを目的とする。
【０００８】
また、本発明は、比較的小規模な住宅であっても居住に必要なスペースを確保しつつ、自然採光や建物内通風を十分に得ることが可能な室内空間構造を提供することを目的とする。
【０００９】
上記目的を達成するため、本発明に係る室内空間構造は請求項１に記載したように、下階と上階とを連通させてなる吹抜け空間が形成され該吹抜け空間と屋外空間とを隔てる前記上階の外壁に採光窓が設けられた室内空間構造において、前記上階の床レベル近傍にて透光性及び通気性を有する床パネルを敷設するとともに、該床パネルを前記外壁まで延設したものである。
【００１０】
また、本発明に係る室内空間構造は、前記床パネル上に収納具を載置したものである。
【００１１】
本発明に係る室内空間構造においては、下階と上階とを連通させてなる吹抜け空間が形成されていることを前提とし、上階の床レベル近傍にて透光性及び通気性を有する床パネルを敷設するとともに、該床パネルを外壁まで延設してある。
【００１２】
このようにすれば、居住者は、採光窓近傍に寄付き自在となる、すなわち、床パネル上を採光窓の傍まで歩き、採光窓の窓拭きやカーテン交換といったメンテナンスを容易に行うことができる。
【００１３】
一方、床パネルは、透光性を有するため、上階の採光窓から入射した自然光は、床パネルを透過して下階へと降り注ぎ、下階での採光性が十分に確保されるとともに、上述した床パネルは通気性を併せ持つため、上階から下階あるいは下階から上階へと流れる空気の流れが形成され、建物内の通風性も同様に確保される。
【００１４】
床パネルは、透光性及び通気性を有し、歩行時の荷重を支持できる強度を有するものであればどのようなものでもよいが、例えばＦＲＰ（繊維補強プラスチック）で形成されたグレーチングパネルを用いることができる。
【００１５】
また、床パネルをどのように支持するかについては、通常の床材を支持する公知の方法を転用すればよく、例えば互いに平行な一対の横架材の間に該横架材に直交するように所定の梁を所定間隔で架け渡し、かかる梁の上に床パネルを敷設するようにすればよい。
【００１６】
外壁は、建物の内部空間と屋外空間を仕切る壁であって、中庭を有する建物、例えば平面形状がロの字状又はコの字状建物の外壁のうち、中庭に面する外壁も本発明の外壁に包摂されることは言うまでもない。
【００１７】
このように、本発明に係る室内空間構造によれば、吹抜け空間に起因するメンテナンスの問題を解消することが可能となるが、本出願人は、かかる発明にとどまることなく、さらに吹抜け空間に起因する居室面積の問題をも解消した。
【００１８】
すなわち、本出願人は、住宅内に大きな吹抜け空間を設ければ、その分、居住可能な床面積が減少し、吹抜け空間を小さくし又は設けなければ、下階への自然採光や上階と下階との建物内通風が阻害されるという相矛盾した状況が生じることに鑑み、どのようにすれば居住に必要なスペースを確保しつつ、自然採光や建物内通風を十分に得ることができるかに着眼してさまざまな研究開発を行った結果、上述した床パネル上に収納具を載置するという産業上有用な知見を得るに至った。
【００１９】
かかる発明によれば、例えば、居室内に設けられていたクローゼットや独立設置されていた納戸といった収納スペースを上述した床パネル上に移設してこれを収納具とすることにより、居室内面積を大きくし又は居室の数を増やすことが可能になる。
【００２０】
床パネル上に載置される収納具は、採光及び建物内通風を阻害することがないよう、例えば互いに向かい合わせとなるように壁際に載置することが考えられる。
【発明を実施するための最良の形態】
【００２１】
以下、本発明に係る室内空間構造の実施の形態について、添付図面を参照して説明する。なお、従来技術と実質的に同一の部品等については同一の符号を付してその説明を省略する。
【００２２】
（第１実施形態）
【００２３】
図１は、本実施形態に係る室内空間構造を示した図であり、(a)は平面図、(b)はＡ−Ａ線に沿う鉛直断面図である。
【００２４】
同図でわかるように、本実施形態に係る室内空間構造１は、下階である一階２と上階である二階３とを連通させてなる吹抜け空間４が住宅５内に形成してあるとともに、該吹抜け空間と屋外空間６とを隔てる二階３の外壁７に採光窓としての引違い窓８を設けてあり、吹抜け空間４には二階３の床レベル近傍にて床パネル９を敷設してある。
【００２５】
床パネル９を図２に示す。同図でわかるように、床パネル９はグレーチングパネルで構成してあり、透光性及び通気性並びに歩行荷重を支持する強度特性を有する。床パネル９は、例えば旭硝子株式会社からラグラーチェ（登録商標）の商品名で市販されているＦＲＰグレーチングパネルを用いることができる。
【００２６】
ここで、床パネル９の格子寸法（目開き）は、メンテナンス時の歩行に差し支えない大きさであればよく、例えば４０ｍｍ程度が目安となる。
【００２７】
かかる床パネル９は、互いに平行に配置された横架材１０，１０と直交するように該横架材の間に梁１１を所定間隔で架け渡し、該梁の上に敷設してあるが、本実施形態においては、該床パネルを外壁７まで延設することにより、引違い窓８近傍に寄り付くことができる、言い換えれば、居住者が床パネル９上を歩いて引違い窓８まで到達できるように構成してある。
【００２８】
本実施形態に係る室内空間構造１においては、引違い窓８に関連したメンテナンスを行う際、床パネル９の上を引違い窓８まで歩き、次いで、窓拭き、カーテン交換といったメンテナンスを適宜行う。
【００２９】
以上説明したように、本実施形態に係る室内空間構造１によれば、一階２と二階３とを連通させてなる吹抜け空間４が形成されていることを前提とし、二階３の床レベル近傍にて透光性及び通気性を有する床パネル９を敷設するとともに、該床パネルを二階３の外壁７まで延設したので、居住者は、床パネル９上を引違い窓８の近傍まで歩き、窓拭き、カーテン交換といったメンテナンスを容易に行うことができる。
【００３０】
一方、床パネル９は、透光性を有するため、二階３の引違い窓８から入射した自然光は、床パネル９を透過して一階２へと降り注ぎ、一階２での採光性が十分に確保されるとともに、上述した床パネル９は通気性を併せ持つため、二階３から一階２あるいは一階２から二階３へと流れる空気の流れが形成され、住宅５内の通風性も同様に確保される。
【００３１】
本実施形態では特に言及しなかったが、床パネル９を外壁７まで延設するにつき、外壁７との間に隙間が開かないように床パネル９を敷設するのが安全上好ましい。その一方、安全上問題がなく、かつ採光窓のメンテナンスを行うのに支障がない限り、本発明に係る室内空間構造は、外壁との間に多少の隙間を設けて床パネルを敷設することを排除するものではない。
【００３２】
（第２実施形態）
【００３３】
次に、第２実施形態を説明する。なお、第１実施形態と同一の部品等については同一の符号を付してその説明を省略する。
【００３４】
図３は、本実施形態に係る室内空間構造を示した図であり、(a)は平面図、(b)はＢ−Ｂ線に沿う鉛直断面図である。
【００３５】
同図でわかるように、本実施形態に係る室内空間構造２１は、一階２と二階３とを連通させてなる吹抜け空間４が住宅５内に形成してあるとともに、該吹抜け空間と屋外空間６とを隔てる二階３の外壁７に採光窓としての引違い窓８を設けてあり、吹抜け空間４には二階３の床レベル近傍にて床パネル９を敷設してある。
【００３６】
かかる床パネル９は第１実施形態と同様、互いに平行に配置された横架材１０，１０と直交するように該横架材の間に梁１１を所定間隔で架け渡し、該梁の上に敷設してあるとともに、該床パネルを外壁７まで延設してあるが、本実施形態では、床パネル９上に収納具としてのシステム収納２２，２２を互いに対向するように載置してある。
【００３７】
本実施形態に係る室内空間構造２１においては、引違い窓８に関連したメンテナンスを行う際、床パネル９の上を引違い窓８まで歩き、次いで、窓拭き、カーテン交換といったメンテナンスを適宜行う。
【００３８】
また、所定の収納物をシステム収納２２に収納したいとき又は収納物を取り出したいときには、床パネル９の上をシステム収納２２が載置された位置まで歩き、次いで、収納や取出しといった作業を適宜行う。
【００３９】
以上説明したように、本実施形態に係る室内空間構造２１によれば、一階２と二階３とを連通させてなる吹抜け空間４が形成されていることを前提とし、二階３の床レベル近傍にて透光性及び通気性を有する床パネル９を敷設するとともに、該床パネルを二階３の外壁６で延設したので、居住者は、床パネル９上を引違い窓８の近傍まで歩き、窓拭き、カーテン交換といったメンテナンスを容易に行うことができる。
【００４０】
一方、床パネル９は、透光性を有するため、二階３の引違い窓８から入射した自然光は、床パネル９を透過して一階２へと降り注ぎ、一階２での採光性が十分に確保されるとともに、上述した床パネル９は通気性を併せ持つため、二階３から一階２あるいは一階２から二階３へと流れる空気の流れが形成され、住宅５内の通風性も同様に確保される。
【００４１】
また、本実施形態に係る室内空間構造２１によれば、床パネル９上にシステム収納２２を載置したので、二階の居室内に設けられていたクローゼットや独立設置されていた納戸といった収納スペースを上述した床パネル９上に移設してこれをシステム収納２２とすることにより、居室内面積を大きくし又は居室の数を増やすことが可能となる。
【００４２】
本実施形態では特に言及しなかったが、床パネル９を外壁７まで延設するにつき、外壁７との間に隙間が開かないように床パネル９を敷設するのが安全上好ましい。その一方、安全上問題がなく、かつ採光窓のメンテナンスを行うのに支障がない限り、本発明に係る室内空間構造は、外壁との間に多少の隙間を設けて床パネルを敷設することを排除するものではない。
【００４３】
また、本実施形態では、収納具としてのシステム収納２２を互いに対向するように対で載置したが、床パネル９に載置される収納具の形態や載置される位置については任意であってかかる構成に限定されないことは言うまでもない。
【図面の簡単な説明】
【００４４】
【図１】第１実施形態に係る室内空間構造の図であり、(a)は平面図、(b)はＡ−Ａ線に沿う鉛直断面図。
【図２】床パネル９の全体斜視図。
【図３】第２実施形態に係る室内空間構造の図であり、(a)は平面図、(b)はＢ−Ｂ線に沿う鉛直断面図。
【符号の説明】
【００４５】
１，２１                          室内空間構造
２                                一階（下階）
３                                二階（上階）
４                                吹抜け空間
６                                屋外空間
７                                外壁
８                                引違い窓（採光窓）
９                                床パネル
２２                              システム収納（収納具）
【図１】
2006265987.tif 000003
【図２】
2006265987.tif 000004
【図３】
2006265987.tif 000005